(57)【特許請求の範囲】
【請求項１】
モータと、
該モータにより回転駆動される羽根車と、
前方開口から後方開口まで所定の軸線に沿って延伸する中空の略管状体に形成されていると共に、前記モータを管内に収容する保持台と、
前記羽根車及び前記保持台の前記前方開口を覆うように前記保持台に取り付けられるフロントカバーと、
密封手段と、
を備えたキャンドモータポンプであって、
前記保持台は、前記前方開口を囲む円環状のリング部と、前記リング部の外周縁から前記後方開口が向かう側へ延伸すると共に、前記後方開口を囲む管状延伸部と、を有しており、
前記モータは、
前記保持台の前記リング部に取り付けられているカップ状のケースと、
前記カップ状のケースと前記保持台の前記管状延伸部との間に配置されているステータと、
前記前方開口の内側において前記軸線を回転軸として回転可能に、前記カップ状のケース内に保持されて前記羽根車を回転駆動するロータと、
前記カップ状のケースの前記保持台に臨む外表面を覆うケースカバーと、を有しており、
また、前記ケースカバーは、前記保持台の前記リング部の前記前方開口側に臨む端面に当接する第１のフランジと、該第１のフランジの内側端縁から前記後方開口側へ延伸するカップ状本体部とを有するように形成され、
また、前記保持台の前記リング部の前記前方開口側に臨む端面は、前記ケースカバーの前記第１のフランジに当接する内側端面部と、前記内側端面部より前記軸線から離れた位置にあると共に、前記フロントカバーに当接する外側端面部と、を有するように形成され、
前記密封手段は、前記保持台の前記リング部の前記内側端面部と前記ケースカバーの前記第１のフランジとの間に気密的に挟まれている第１の密封リングと、
前記保持台の前記リング部の前記外側端面部と前記フロントカバーとの間に気密的に挟まれている第２の密封リングと、を有していることを特徴とするキャンドモータポンプ。
【請求項２】
前記保持台の前記リング部の前記内側端面部には、第１の環状溝が凹設されており、
前記密封手段が有する前記第１の密封リングは、該第１の環状溝内に嵌め込まれるように配置されていることを特徴とする請求項１に記載のキャンドモータポンプ。
【請求項３】
前記保持台は、前記ケースカバーの前記カップ状本体部に当接する内周面を有するように形成されており、
前記第１の環状溝は、前記内周面に隣接するように前記内側端面部に凹設されていることを特徴とする請求項２に記載のキャンドモータポンプ。
【請求項４】
前記保持台の前記リング部の前記外側端面部には、第２の環状溝が凹設されており、
前記密封手段が有する前記第２の密封リングは、該第２の環状溝内に嵌め込まれるように配置されていることを特徴とする請求項１に記載のキャンドモータポンプ。
【請求項５】
前記保持台の前記リング部には、前記内側端面部及び前記外側端面部の両方と直交するように接すると共に、前記フロントカバーに当接する周壁が形成されており、
前記第２の環状溝は、前記周壁に隣接するように前記外側端面部に凹設されていることを特徴とする請求項４に記載のキャンドモータポンプ。
【請求項６】
前記カップ状のケースは、前記ケースカバーの前記第１のフランジの前記前方開口側において該第１のフランジに当接する第２のフランジを有しており、
前記フロントカバーには、前記カップ状のケースの前記第２のフランジに向かって開口する第３の環状溝が形成されており、
前記密封手段は、前記第３の環状溝内に嵌め込まれるように配置されて前記カップ状のケースの第２のフランジと前記フロントカバーとの間に気密的に挟まれている第３の密封リングを更に有していることを特徴とする請求項１に記載のキャンドモータポンプ。
【請求項７】
前記フロントカバーは、
前記保持台の前記リング部の前記外側端面部に面し且つ該外側端面部との間に前記第２の密封リングが挟まれている外側当接面と、
前記外側当接面より前記軸線に接近する位置にあると共に、前記カップ状のケースの前記第２のフランジに面し該第２のフランジとの間に前記第３の密封リングが挟まれている内側当接面と、
前記外側当接面及び前記内側当接面の両方と直交するように接する当接壁と、を有するように形成されており、
前記第３の環状溝は、前記当接壁に隣接するように前記内側当接面に凹設されていることを特徴とする請求項６に記載のキャンドモータポンプ。
【請求項８】
前記ケースカバーが有する前記第１のフランジ及び前記カップ状のケースが有する前記第２のフランジは、先端が前記フロントカバーに形成される前記当接壁に当接するように形成されていることを特徴とする請求項７に記載のキャンドモータポンプ。
【発明の詳細な説明】
【技術分野】
【０００１】
本発明はキャンドモータポンプに関する。
【背景技術】
【０００２】
液体の供給に用いられる従来のキャンドモータポンプとしては、例えば特許文献１に記載されるものが挙げられる。特許文献１に記載されるように、該従来のキャンドモータポンプは、キャンドモータと、該キャンドモータにより回転駆動される羽根車と、該キャンドモータの前後両側を覆うフロントカバー及びモータカバーと、により構成されている。
【０００３】
この従来のキャンドモータポンプが有するモータカバーはフッ素樹脂からなる内側層と強化層とからなる二重構造であり、供給する液体がモータ部に浸入することを防いでいるが、内側層と強化層との間に液体の浸入を防止する構成が存在しないため、供給する液体のモータ部への浸入対策に関しては改善する余地が残されている。
【先行技術文献】
【特許文献】
【０００４】
【特許文献１】台湾特許第Ｉ４２４６６１号明細書
【発明の概要】
【発明が解決しようとする課題】
【０００５】
上記問題点に鑑みて、本発明は供給する液体がモータ部に浸入することをより確実に防ぐことができるキャンドモータポンプの提供を目的とする。
【課題を解決するための手段】
【０００６】
上記目的を達成すべく、本発明はモータと、該モータにより回転駆動される羽根車と、前方開口から後方開口まで所定の軸線に沿って延伸する中空の略管状体に形成されていると共に、前記モータを管内に収容する保持台と、前記羽根車及び前記保持台の前記前方開口を覆うように前記保持台に取り付けられるフロントカバーと、密封手段と、を備えたキャンドモータポンプであって、前記保持台は、前記前方開口を囲む円環状のリング部と、前記リング部の外周縁から前記後方開口が向かう側へ延伸すると共に、前記後方開口を囲む管状延伸部と、を有しており、前記モータは、前記保持台の前記リング部に取り付けられているカップ状のケースと、前記カップ状のケースと前記保持台の前記管状延伸部との間に配置されているステータと、前記前方開口の内側において前記軸線を回転軸として回転可能に、前記カップ状のケース内に保持されて前記羽根車を回転駆動するロータと、前記カップ状のケースの前記保持台に臨む外表面を覆うケースカバーと、を有しており、また、前記ケースカバーは、前記保持台の前記リング部の前記前方開口側に臨む端面に当接する第１のフランジと、該第１のフランジの内側端縁から前記後方開口側へ延伸する前記カップ状本体部とを有するように形成され、また、前記保持台の前記リング部の前記前方開口側に臨む端面は、前記ケースカバーの前記第１のフランジに当接する内側端面部と、前記内側端面部より前記軸線から離れた位置にあると共に、前記フロントカバーに当接する外側端面部と、を有するように形成され、前記密封手段は、前記保持台の前記リング部の前記内側端面部と前記ケースカバーの前記第１のフランジとの間に気密的に挟まれている第１の密封リングと、前記保持台の前記リング部の前記外側端面部と前記フロントカバーとの間に気密的に挟まれている第２の密封リングと、を有していることを特徴とするキャンドモータポンプを提供する。
【発明の効果】
【０００７】
上記のように、本発明のキャンドモータポンプは、ロータをカップ状のケースとカップ状のケースの外表面を覆うケースカバーとからなる２重構造で保護する上、保持台のリング部の内側端面部とケースカバーの第１のフランジとの間に気密的に挟まれている第１の密封リングと、保持台のリング部の外側端面部とフロントカバーとの間に気密的に挟まれている第２の密封リングと、を有する密封手段を備えているので、本発明のキャンドモータポンプが供給する液体は第１の密封リングと第２の密封リングとに阻まれてカップ状のケースとケースカバーとからなる２重構造の間の隙間からモータへ浸入することが不可能となり、供給する液体のモータ部への浸入を従来よりも確実に防ぐことができる。
【図面の簡単な説明】
【０００８】
【図１】本発明のキャンドモータポンプの構成が示される分解斜視図である。
【図２】本発明のキャンドモータポンプの構成が示される断面図である。
【図３】本発明のキャンドモータポンプの構成が示される要部拡大断面図である。
【発明を実施するための形態】
【０００９】
以下、本発明に係るキャンドモータポンプの実施形態について、図面を参照して説明する。
【００１０】
図１は本発明のキャンドモータポンプの構成が示される分解斜視図であり、図２は本発明のキャンドモータポンプの構成が示される断面図であり、図３は本発明のキャンドモータポンプの構成が示される要部拡大断面図である。
【００１１】
図示のように、本発明のキャンドモータポンプは、モータ３０と、該モータ３０により回転駆動される羽根車５０と、前方開口１１１から後方開口１１２まで所定の軸線Ｌに沿って延伸する中空の略管状体に形成されていると共に、モータ３０を管内に収容する保持台１０と、羽根車５０及び保持台１０の前方開口１１１を覆うように保持台１０に取り付けられるフロントカバー６０と、密封手段７０と、を備えている。
【００１２】
保持台１０は、前方開口１１１を囲む円環状のリング部１１と、リング部１１の外周縁から前記後方開口１１２が向かう側へ延伸すると共に、後方開口１１２を囲む管状延伸部１２と、を有するように形成されている。
【００１３】
モータ３０は、保持台１０のリング部１１の内側に取り付けられているカップ状のケース３１と、ケース３１と保持台１０の管状延伸部１２との間に配置されているステータ３２と、前方開口１１１の内側において軸線Ｌを回転軸として回転可能に、カップ状のケース３１内に保持されて羽根車５０を回転駆動するロータ３３と、カップ状のケース３１の保持台１０に臨む外表面を覆うケースカバー４０と、を有するように構成されている。
【００１４】
また、この実施形態において、保持台１０の管状延伸部１２とモータ３０のステータ３２との間に金属材料により作成された保持枠２０が介在しており、モータ３０のステータ３２は保持枠２０により回転不可能に保持されている。
【００１５】
ケースカバー４０は、保持台１０のリング部１１の前方開口１１１側に臨む端面に当接する第１のフランジ４２と、該第１のフランジ４２の内側端縁から後方開口１１２側へ延伸するカップ状本体部４１とを有するように形成されている。
【００１６】
カップ状のケース３１は、ケースカバー４０の該第１のフランジ４２の前方開口１１１側において該第１のフランジ４２に当接する第２のフランジ３１２と、該第２のフランジ３１２の内側端縁から後方開口１１２側へ延伸するようにカップ状に形成された管状部３１１とを有するように形成されており、ロータ３３は管状部３１１内において軸線Ｌを回転軸として回転可能に保持されている。
【００１７】
保持台１０のリング部１１の前方開口１１１側に臨む端面は、ケースカバー４０の前記第１のフランジ４２に当接する内側端面部１１５と、内側端面部１１５より軸線Ｌから離れた位置にあると共に、フロントカバー６０に当接する外側端面部１１６と、を有するように形成され、また、保持台１０のリング部１１には、ケースカバー４０のカップ状本体部４１に当接する内周面１１３と、内側端面部１１５及び外側端面部１１６の両方と直交するように接すると共に、フロントカバー６０に当接する周壁１１７と、を有するように形成されている。
【００１８】
また、この実施形態において、内側端面部１１５の内周面１１３に隣接する箇所に、断面が円弧状になっている面取りエリア１１４が形成されており、該面取りエリア１１４に第１の環状溝１１８が凹設されている。
【００１９】
保持台１０のリング部１１の外側端面部１１６には、第２の環状溝１１９が凹設されており、この第２の環状溝１１９は、周壁１１７に隣接するように外側端面部１１６に凹設されている。
【００２０】
フロントカバー６０は、保持台１０のリング部１１の外側端面部１１６に面する外側当接面６１２と、外側当接面６１２より軸線Ｌに接近する位置にあると共に、カップ状のケース３１の第２のフランジ３１２に面する内側当接面６１１と、外側当接面６１２及び内側当接面６１１の両方と直交するように接する当接壁６１３と、を有するように形成されている。
【００２１】
内側当接面６１１には、第３の環状溝６１４が凹設されており、この第３の環状溝６１４は、当接壁６１３に隣接するように内側当接面６１１に凹設されている。
【００２２】
密封手段７０は、第１の密封リング７１と、第２の密封リング７２と、第３の密封リング７３と、を有している。
【００２３】
第１の密封リング７１は、保持台１０のリング部１１の内側端面部１１５とケースカバー４０の第１のフランジ４２との間に気密的に挟まれるように、内側端面部１１５に凹設された第１の環状溝１１８内に嵌め込まれている。
【００２４】
第２の密封リング７２は、保持台１０のリング部１１の外側端面部１１６とフロントカバー６０の外側当接面６１２との間に気密的に挟まれるように、外側端面部１１６に凹設された第２の環状溝１１９内に嵌め込まれている。
【００２５】
第３の密封リング７３は、カップ状のケース３１の第２のフランジ３１２とフロントカバー６０の内側当接面６１１との間に気密的に挟まれるように、内側当接面６１１に凹設された第３の環状溝６１４に嵌め込まれている。
【００２６】
また、この実施形態において、ケースカバー４０が有する第１のフランジ４２のカップ状本体部４１から延伸する先端と、カップ状のケース３１が有する第２のフランジ３１２の管状部３１１から延伸する先端とは、フロントカバー６０に形成される当接壁６１３に当接するように形成されている。
【００２７】
この構成により、モータ３０のロータ３３を管状部３１１内に保持するカップ状のケース３１及びカップ状のケース３１の保持台１０に臨む外表面を覆うケースカバー４０は、フロントカバー６０と保持台１０との間に挟まれて保持されるようになるので、モータ３０のロータ３３が回転する際に振動が生じても、カップ状のケース３１及びカップ状のケース３１とフロントカバー６０または保持台１０との間に隙間が発生しにくく、液体のモータ３０の内部への浸入を防止することができる。
【００２８】
更に、保持台１０のリング部１１の内側端面部１１５とケースカバー４０の第１のフランジ４２との間に気密的に挟まれる第１の密封リング７１と、保持台１０のリング部１１の外側端面部１１６とフロントカバー６０の外側当接面６１２との間に気密的に挟まれる第２の密封リング７２と、の介在により、長時間の運用によりカップ状のケース３１に亀裂が生じても、液体のステータ３２への浸入を防ぐことができる。
【００２９】
そして、カップ状のケース３１の第２のフランジ３１２とフロントカバー６０の内側当接面６１１との間に気密的に挟まれる第３の密封リング７３の介在により、カップ状のケース３１とフロントカバー６０との間の隙間が塞がれるので液体の浸入によるモータの故障発生率をより確実に抑えることができる。
【００３０】
また、内側端面部１１５及び外側端面部１１６の両方と直交するように接すると共に、フロントカバー６０に当接する周壁１１７や、外側当接面６１２及び内側当接面６１１の両方と直交するように接する当接壁６１３を形成することにより、供給する液体がモータへ浸入する可能性があるルートはジグザグになるため、液体の浸入防止を更に強化することができる。
【００３１】
以上、本発明の好ましい実施形態を説明したが、本発明はこれらに限定されるものではなく、最も広い解釈の精神および範囲内に含まれる様々な構成として、全ての修飾および均等な構成を包含するものとする。
【産業上の利用可能性】
【００３２】
上記のように、本発明のキャンドモータポンプは、ロータをカップ状のケースとカップ状のケースの外表面を覆うケースカバーとからなる２重構造で保護する上、保持台のリング部の内側端面部とケースカバーの第１のフランジとの間に気密的に挟まれている第１の密封リングと、保持台のリング部の外側端面部とフロントカバーとの間に気密的に挟まれている第２の密封リングと、を有する密封手段を備えているので、本発明のキャンドモータポンプが供給する液体は第１の密封リングと第２の密封リングとに阻まれてカップ状のケースとケースカバーとからなる２重構造の間の隙間からモータへ浸入することが不可能となり、供給する液体のモータ部への浸入を従来よりも確実に防ぐことができる。
【符号の説明】
【００３３】
１０     保持台
１１     リング部
１１１   前方開口
１１２   後方開口
１１３   内周面
１１４   面取りエリア
１１５   内側端面部
１１６   外側端面部
１１７   周壁
１１８   第１の環状溝
１１９   第２の環状溝
１２     管状延伸部
２０     保持枠
３０     モータ
３１     カップ状のケース
３１１   管状部
３１２   第２のフランジ
３２     ステータ
３３     ロータ
４０     ケースカバー
４１     カップ状本体部
４２     第１のフランジ
５０     羽根車
６０     フロントカバー
６１１   内側当接面
６１２   外側当接面
６１３   当接壁
６１４   第３の環状溝
７０     密封手段
７１     第１の密封リング
７２     第２の密封リング
７３     第３の密封リング
Ｌ       軸線
【要約】
【課題】供給する液体がモータ部に浸入することをより確実に防ぐことができるキャンドモータポンプの提供。
【解決手段】保持台１０のリング部１１の内側端面部１１５とケースカバー４０の第１のフランジ４２との間に気密的に挟まれている第１の密封リング７１と、保持台１０のリング部１１の外側端面部１１６とフロントカバー６０との間に気密的に挟まれている第２の密封リング７２と、を有するキャンドモータポンプを提供する。
【選択図】図３【図１】
0006910669.tif 000002
【図２】
0006910669.tif 000003
【図３】
0006910669.tif 000004